(57)【要約】【課題】サービスに割り当てるスライスをユーザの状況に応じてユーザごとに動的に変える。【解決手段】  移動通信システムは、サービスを特定するサービスタイプに対して、当該サービスの割当先のスライスを特定するスライスＩＤとＵＥの状況を示す情報であるコンテキスト情報とを対応付けた情報である対応情報を、予め複数関連付けて記憶する対応情報記憶部１５と、ＵＥ１４０から、現在使用中のサービスを特定するサービスタイプと、ＵＥ１４０の現在の状況を示すコンテキスト情報とを取得する状況取得部１２と、対応情報記憶部１５に記憶された複数の対応情報の中から、サービスタイプに関連付けられ、かつ、コンテキスト情報を含む対応情報を特定し、当該対応情報に含まれるスライスＩＤによって特定されるスライス上に、ＵＥ１４０のベアラを切り換える接続切換部１４とを含む。【選択図】  図４
2018157506.tif 000002
【特許請求の範囲】
【請求項１】
ネットワークインフラ上に生成される仮想ネットワークを用いるサービスに、前記仮想ネットワークであるスライスを割り当てる装置により実行されるスライス割当方法であって、
前記サービスを特定するサービス特定情報に対して、当該サービスの割当先のスライスを特定するスライス特定情報と端末の状況を示す情報である状況情報とを対応付けた情報である対応情報を、予め複数関連付けて記憶する対応情報記憶ステップと、
ユーザが使用する端末から、現在使用中のサービスを特定する使用サービス特定情報と、前記端末の現在の状況を示す現在状況情報とを取得する状況取得ステップと、
前記対応情報記憶ステップにより記憶された複数の対応情報の中から、前記使用サービス特定情報に関連付けられ、かつ、前記現在状況情報に対応する状況情報を含む対応情報を特定し、当該対応情報に含まれる前記スライス特定情報によって特定されるスライス上に、前記端末の前記通信セッションを切り換える接続切換ステップと、
を含むスライス割当方法。
【請求項２】
前記接続切換ステップでは、特定した前記対応情報に含まれる前記スライス特定情報によって特定されるスライス上に、前記端末の前記通信セッションを設定し、当該スライス以外のスライス上に設定されていた前記サービス用の通信セッションを切断する、
請求項１記載のスライス割当方法。
【請求項３】
前記接続切換ステップでは、前記状況取得ステップにおいて前記装置が前記端末から現在状況情報を取得したことを契機として、前記対応情報の特定、及び前記端末の前記通信セッションの切り換えを実行する、
請求項１又は２に記載のスライス割当方法。
【請求項４】
ネットワークインフラ上に生成される仮想ネットワークを用いるサービスに、前記仮想ネットワークであるスライスを割り当てる移動通信システムであって、
前記サービスを特定するサービス特定情報に対して、当該サービスの割当先のスライスを特定するスライス特定情報と端末の状況を示す情報である状況情報とを対応付けた情報である対応情報を、予め複数関連付けて記憶する対応情報記憶部と、
ユーザが使用する端末から、現在使用中のサービスを特定する使用サービス特定情報と、前記端末の現在の状況を示す現在状況情報とを取得する状況取得部と、
前記対応情報記憶部に記憶された複数の対応情報の中から、前記使用サービス特定情報に関連付けられ、かつ、前記現在状況情報に対応する状況情報を含む対応情報を特定し、当該対応情報に含まれる前記スライス特定情報によって特定されるスライス上に、前記端末の前記通信セッションを切り換える接続切換部と、
を含む移動通信システム。
【発明の詳細な説明】
【技術分野】
【０００１】
本発明は、ネットワークインフラ上に生成される仮想ネットワークであるスライスを割り当てる方法及び移動通信システムに関する。
【背景技術】
【０００２】
従来の仮想化技術を用いたネットワークシステムは、非特許文献１に開示された仮想化技術を用いて、ハードウェア資源を仮想的に切り分けて、ネットワークインフラ上に論理的に生成される仮想ネットワークであるスライスを生成する。そして、当該スライスへサービスを割り当てることにより、それぞれ独立したスライスのネットワークを用いてサービス提供することができる。これにより、多様な要求条件を持つサービス各々にスライスを割り当てた場合、サービス個々の要求条件を満たすことを容易にし、そのシグナリング処理などを軽減させることが可能となる。
【先行技術文献】
【非特許文献】
【０００３】
【非特許文献１】中尾彰宏、“仮想化ノード・プロジェクト新世代のネットワークをめざす仮想化技術”、［online］、2010年6月、独立行政法人情報通信研究機構、［2017年3月8日検索］、インターネット<http://www.nict.go.jp/publication/NICT-News/1006/01.html>
【発明の概要】
【発明が解決しようとする課題】
【０００４】
しかし、一意にサービスにスライスを割り当ててしまうと、当該サービスを利用しているユーザの状況が変化した場合に、サービスに対して適切なスライスをユーザの状況に応じて割り当てることは困難である。
【０００５】
本発明は、上記に鑑みてなされたものであり、サービスに割り当てるスライスをユーザの状況に応じてユーザごとに動的に変えるスライス割当方法を提供することを目的とする。
【課題を解決するための手段】
【０００６】
上述の課題を解決するために、本発明の一側面にかかるスライス割当方法は、ネットワークインフラ上に生成される仮想ネットワークを用いるサービスに、仮想ネットワークであるスライスを割り当てる装置により実行されるスライス割当方法であって、サービスを特定するサービス特定情報に対して、当該サービスの割当先のスライスを特定するスライス特定情報と端末の状況を示す情報である状況情報とを対応付けた情報である対応情報を、予め複数関連付けて記憶する対応情報記憶ステップと、ユーザが使用する端末から、現在使用中のサービスを特定する使用サービス特定情報と、端末の現在の状況を示す現在状況情報とを取得する状況取得ステップと、対応情報記憶ステップにより記憶された複数の対応情報の中から、使用サービス特定情報に関連付けられ、かつ、現在状況情報に対応する状況情報を含む対応情報を特定し、当該対応情報に含まれるスライス特定情報によって特定されるスライス上に、端末の通信セッションを切り換える接続切換ステップと、を含む。
【０００７】
あるいは、本発明の他の側面にかかる移動通信システムは、ネットワークインフラ上に生成される仮想ネットワークを用いるサービスに、仮想ネットワークであるスライスを割り当てる移動通信システムであって、サービスを特定するサービス特定情報に対して、当該サービスの割当先のスライスを特定するスライス特定情報と端末の状況を示す情報である状況情報とを対応付けた情報である対応情報を、予め複数関連付けて記憶する対応情報記憶部と、ユーザが使用する端末から、現在使用中のサービスを特定する使用サービス特定情報と、端末の現在の状況を示す現在状況情報とを取得する状況取得部と、対応情報記憶部に記憶された複数の対応情報の中から、使用サービス特定情報に関連付けられ、かつ、現在状況情報に対応する状況情報を含む対応情報を特定し、当該対応情報に含まれるスライス特定情報によって特定されるスライス上に、端末の通信セッションを切り換える接続切換部と、を含む。
【０００８】
上記一側面あるいは上記他の側面によれば、端末から使用中のサービスを特定する情報と現在の状況を示す情報とが取得されると、それらの情報を基に、現在使用しているサービスに割り当てられた複数のフライスの中から、現在の状況に対応したスライスが選択され、選択されたスライス上に端末の通信セッションが切り換えられる。これにより、端末のユーザ毎にそのユーザの状況に応じてサービスに割り当てるスライスを動的に変えることができる。その結果、端末のユーザに対して円滑にサービスを提供することができる。
【発明の効果】
【０００９】
本発明によれば、サービスに割り当てるスライスをユーザの状況に応じてユーザごとに動的に変えることが可能となる。
【図面の簡単な説明】
【００１０】
【図１】本発明の好適な一実施形態にかかる移動通信システムのシステム構成を示す図である。
【図２】スライスとリソースとの対応関係を示す図である。
【図３】図１のＡＭＦ１００のハードウェア構成の一例を示すブロック図である。
【図４】図１のＡＭＦ１００の機能構成を示すブロック図である。
【図５】図４の対応情報記憶部１５に記憶されている対応情報のデータ構成を示す図である。
【図６】実施形態の移動通信システムによるベアラの切換処理の手順を示すシーケンス図である。
【図７】実施形態の移動通信システムによるベアラの切換処理のイメージを示す概念図である。
【図８】変形例にかかる移動通信システムのシステム構成を示す図である。
【図９】変形例にかかるＮＳＳＦ１５０の機能構成を示すブロック図である。
【図１０】変形例におけるベアラの切換処理の手順を示すシーケンス図である。
【発明を実施するための形態】
【００１１】
添付図面を参照しながら本発明の実施形態を説明する。可能な場合には、同一の部分には同一の符号を付して、重複する説明を省略する。
【００１２】
図１に本実施形態に係るスライス割当方法を実施する移動通信システムの構成を示す。移動通信システムは、ネットワークインフラ上に生成される仮想ネットワークを用いるサービスに、当該仮想ネットワークであるスライスを割り当てるシステムである。スライスとは、ネットワーク装置のリンクとノードの資源を仮想的に切り分けて、切り分けた資源を結合し、ネットワークインフラ上に論理的に生成される仮想ネットワーク又はサービス網であり、スライス同士は資源を分離しており、互いに干渉しない。サービスとは、通信サービス（専用線サービス等）やアプリケーションサービス（動画配信、エンベデッド装置等のセンサ装置を利用したサービス）等のネットワーク資源を用いたサービスをいう。
【００１３】
図１に示すように移動通信システムは、ＳＯ（Service  Operator）２０と、ＯＳＳ／ＢＳＳ（Operations  Support  System／Business  Support  System）３０と、スライス管理装置１０と、ＮＦＶＯ４０と、ＶＮＦＭ５０と、ＶＩＭ(Virtualized  Infrastructure  Management:仮想化基盤管理)６０と、ＵＤＭ（Unified  Data  Management）７０と、ＤＮＳ（Domain  Name  System）サーバ８０と、ＡＵＳＦ（Authentication  Server  Function）９０と、ＡＭＦ（Core  Access  and  Mobility  management  Function）１００と、ＲＡＮ１１０と、ＳＭＦ（Session  Management  Function）１２０と、ＵＰＦ（User  Plane  Function）１３０と、ＵＥ（User  Equipment）１４０とを含んで構成されている。このうち、ＮＦＶＯ４０とＶＮＦＭ５０とＶＩＭ６０とは、ＭＡＮＯ（Management  &  Orchestration）architectureである。
【００１４】
これらの構成要素は、移動通信システムのコアネットワークを構成するものである。なお、互いに情報の送受信が必要な構成要素間は、有線等で接続されており情報の送受信が可能となっている。
【００１５】
本実施形態に係る移動通信システムは、物理サーバ上に実現される仮想マシンにおいて動作する仮想サーバによって移動通信端末に対して通信機能を提供する。即ち、移動通信システムは、仮想化された移動体通信ネットワークである。通信機能は、仮想マシンによって当該通信機能に応じた通信処理を実行することで移動通信端末に対して提供される。
【００１６】
スライス管理装置１０は、移動通信システムにおけるサービス管理（スライスとサービスとの対応付け）を行い、移動通信システムでの通信機能に係る指示を行うノードである。また、スライス管理装置１０は、移動通信システムに係る通信事業者によって操作され得る。
【００１７】
ＳＯ（Service  Operator）２０は、サービス要求する装置であり、例えば、仮想ネットワークを用いて各種ユーザへサービス提供をする事業者の端末装置（例えば、パーソナルコンピュータ等）である。
【００１８】
ＯＳＳ／ＢＳＳ３０は、ＳＯ２０からのサービス要求を受け付けて、スライス管理装置１０へその要求に基づく情報を送信する装置である。このＯＳＳ／ＢＳＳ３０は、当該サービス要求の対象となるサービスを識別（特定）するサービスパラメータ（サービス特定情報であるサービスタイプ）と、当該サービスパラメータの示すサービスの割当先のスライスを特定するスライス特定情報（スライスＩＤ）と、コンテキスト情報とを対応付けて、当該対応付けた情報をスライス管理装置１０へ送信する。ここで、コンテキスト情報とは、ユーザの端末の状況を示す情報であり、例えば、ユーザの利用しているサービスにおける検出状況を示す情報、ユーザの滞在状況（滞在時間）を示す情報等である。なお、ＳＯ２０から対応情報を受信して、当該対応情報をスライス管理装置１０へ送信するようにしてもよい。
【００１９】
ＮＦＶＯ４０は、物理資源であるＮＦＶＩ１６０上に構築された仮想ネットワーク（スライス）全体の管理を行う全体管理ノード（機能エンティティ）である。ＮＦＶＯ４０は、スライス生成を指示する装置からの指示を受信し、当該指示に応じた処理を行う。ＮＦＶＯ４０は、インフラと通信サービスの移動体通信網の物理資源において構築された仮想化ネットワーク全体にわたる管理を行う。ＮＦＶＯ４０は、仮想ネットワークにより提供される通信サービスをＶＮＦＭ５０及びＶＩＭ６０を経由して適切な場所に実現する。例えば、サービスのライフサイクル管理（具体的には例えば、生成、更新、スケール制御、イベント収集）、移動体通信網内全体にわたる資源の分散・予約・割当管理、サービス・インスタンス管理、及びポリシー管理（具体的には例えば、リソースの予約・割当、地理・法令等に基づく最適配置）を行う。
【００２０】
ＶＮＦＭ５０は、物理資源（ノード）となるＮＦＶＩ１６０に対して、サービスに係る機能を追加する仮想通信機能管理ノード（機能エンティティ）である。ＶＮＦＭ５０は、システムに複数、設けられていてもよい。
【００２１】
ＶＩＭ６０は、物理資源（ノード）各々を管理する物理資源管理ノード（機能エンティティ）である。具体的には、資源の割当・更新・回収の管理、物理資源と仮想化ネットワークとの関連付け、ハードウェア資源とＳＷ資源（ハイパーバイザー）一覧の管理を行う。通常、ＶＩＭ６０は、データセンタ（局舎）毎に管理を行う。物理資源の管理は、データセンタに応じた方式で行われる。データセンタの管理方式（管理資源の実装方式）は、ＯＰＥＮＳＴＡＣＫやｖＣｅｎｔｅｒ等の種類がある。通常、ＶＩＭ６０は、データセンタの管理方式毎に設けられる。即ち、互いに異なる方式で、ＮＦＶＩ１６０における物理資源各々を管理する複数のＶＩＭ６０が含まれる。なお、異なる管理方式で管理される物理資源の単位は、必ずしもデータセンタ単位でなくてもよい。
【００２２】
なお、ＮＦＶＯ４０、ＶＮＦＭ５０及びＶＩＭ６０は、物理的なサーバ装置上でプログラムが実行されることにより実現される（但し仮想化上で実現されることを制限するものでは無く、管理系統を分離した上で、仮想化上で実現してもよい）。ＮＦＶＯ４０、ＶＮＦＭ５０及びＶＩＭ６０は、それぞれ別々の物理的なサーバ装置で実現されていてもよいし、同じサーバ装置で実現されていてもよい。ＮＦＶＯ４０、ＶＮＦＭ５０及びＶＩＭ６０（を実現するためのプログラム）は、別々のベンダから提供されていてもよい。
【００２３】
ＮＦＶＯ４０は、スライス生成要求を受信すると、ＶＩＭ６０に対してスライス（スライスＳＬ１、ＳＬ２等）のためのリソース確保要求を行う。ＶＩＭ６０が、物理資源を構成するサーバ装置やスイッチにおけるリソースを確保すると、ＮＦＶＯ４０は、当該これら物理資源に対してスライスを定義する。
【００２４】
また、ＮＦＶＯ４０は、ＶＩＭ６０に、物理資源においてリソース確保させると、当該物理資源に対してスライスを定義した情報をＮＦＶＯ４０が記憶しているテーブルに記憶する。そして、ＮＦＶＯ４０は、当該サービスに必要となる機能を実現するためのソフトウェアのインストール要求をＶＮＦＭ５０に対して行う。ＶＮＦＭ５０は、当該インストール要求に応じて、ＶＩＭ６０によって確保された物理資源（サーバ装置、スイッチ装置またはルータ装置などのノード）に対して上記ソフトウェアをインストールする。
【００２５】
ＮＦＶＯ４０は、ＶＮＦＭ５０によりソフトウェアがインストールされると、ＮＦＶＯ４０が記憶しているテーブルへスライスとサービスとの対応付けをする。スライスＳＬ１〜スライスＳＬ３は、サービスを割り当てる単位となるスライスである。
【００２６】
例えば図２に示すように、ＮＦＶＯ４０がスライス（Ｓｌｉｃｅ１及びＳｌｉｃｅ２）のためのリソース確保要求をＶＩＭ６０へ行うと、ＶＩＭ６０は、その旨の指示をスイッチＳＷ１、スイッチＳＷ２、サーバＳＶ１、及びスイッチＳＷ３に対して行う。そして、これらスイッチＳＷ１、スイッチＳＷ２、サーバＳＶ１、及びスイッチＳＷ３はＳｌｉｃｅ１用にリソースを確保する。同様に、ＶＩＭ６０からの指示に従って、スイッチＳＷ１、スイッチＳＷ２、サーバＳＶ１、及びスイッチＳＷ４は、Ｓｌｉｃｅ２用にリソースを確保する。
【００２７】
上述の物理資源であるＮＦＶＩ１６０は、仮想化環境を構成する物理資源（ノード群）から形成されたネットワークを示す。この物理資源は、概念的には計算資源、記憶資源、伝送資源を含む。具体的には、この物理資源は、システムにおいて通信処理を行う物理的なサーバ装置である物理サーバ、スイッチ等のノードを含んで構成されている。物理サーバは、ＣＰＵ（コア、プロセッサ）、メモリ、及びハードディスク等の記憶手段を備えて構成される。通常、ＮＦＶＩ１６０を構成する物理サーバ等のノードは、複数まとめてデータセンタ（ＤＣ）等の拠点に配置される。データセンタでは、配置された物理サーバがデータセンタ内部のネットワークによって接続されており、互いに情報の送受信を行うことができるようになっている。また、システムには、複数のデータセンタが設けられている。データセンタ間はネットワークで接続されており、異なるデータセンタに設けられた物理サーバはそのネットワークを介して互いに情報の送受信を行うことができる。
【００２８】
上述のように、ＶＮＦＭ５０が、物理資源（ノード）となるＮＦＶＩ１６０に対して、各種機能を追加することにより、ＮＦＶＩ１６０は、ＵＤＭ７０、ＤＮＳサーバ８０、ＡＵＳＦ９０、ＡＭＦ１００、ＳＭＦ１２０、及びＵＰＦ１３０の機能を実現する。
【００２９】
ＵＤＭ７０は、ＵＥ１４０等の通信端末の契約情報、認証情報、通信サービス情報、端末タイプ情報及び在圏情報を含む加入者情報をデータベースで管理する機能である。ここで、通信サービス情報とは、各ＵＥ１４０が利用する通信サービスのタイプを定義した情報である。通信サービス情報には、ＵＥ１４０を識別する情報（例えば、ＩＭＳＩ（International  Mobile  Subscriber  Identity））と、当該ＵＥ１４０が利用する通信サービスの要件を示すサービスパラメータとが含まれる。
【００３０】
ＤＮＳサーバ８０は、ネットワーク上でドメイン名やホスト名とＩＰアドレスの対応関係を管理する機能である。さらにＤＮＳサーバ８０は、スライスを識別する情報（例えば、スライスＩＤ）とＳＭＦ１２０のアドレスとを対応付けた情報を記憶している。ＤＮＳサーバ８０は、ＡＭＦ１００からアドレスの送信要求を受け付けると、要求に応じたＳＭＦ１２０のアドレスをＡＭＦ１００へ送信する。
【００３１】
ＡＵＳＦ９０及びＡＭＦ１００は、ＬＴＥ（Long  Term  Evolution）ネットワークに在圏するユーザ端末（ＵＥ１４０）と通信接続する通信装置である。ＡＵＳＦ９０は、ＵＥ１４０の認証管理を行う機能である。ＡＭＦ１００は、ＵＥ１４０の位置管理、及びＵＰＦ１３０とＵＥ１４０との間のユーザデータの通信経路の設定処理を行う機能である。
【００３２】
また、ＡＭＦ１００は、ＵＥ１４０からサービスパラメータとコンテキスト情報とを含むスライス切換依頼を受信した際に、１つのスライス上においてＵＥ１４０とＵＰＦ１３０との間に設定されている通信セッションであるベアラを他のスライス上のベアラに切り換える機能も有する（詳細は後述する）。
【００３３】
ＲＡＮ１１０は、ＡＭＦ１００に接続された無線基地局であるとともに、無線アクセス制御機能を有した装置である。
【００３４】
ＳＭＦ１２０は、ＵＥ１４０とＵＰＦ１３０との間に設定されているベアラの管理を行うセッション管理機能である。ＵＰＦ１３０は、ＬＴＥを収容する在圏パケット交換機の機能で、ＲＡＮ１１０との間で通信サービス提供に利用されるユーザデータの送受信を行う。このＵＰＦ１３０は、複数の通信サービスの要件に対応して複数設けられている。また、ＵＰＦ１３０は、ＰＤＮ（Packet  data  network）との接合点であり、ＲＡＮ１１０とＰＤＮとの間でユーザデータの転送などを行うゲートウェイである。
【００３５】
ＵＥ１４０は、ユーザにより用いられ、例えば、携帯電話、ＰＤＡ（Personal  Digital  Assistance）等の通信機能を有する装置として実現される。さらに、ＵＥ１４０は、ユーザの利用しているサービスにおける検出状況を示す情報等のコンテキスト情報を取得する。例えば、ＵＥ１４０は、カメラ等の画像取得デバイスで得られた画像を基にＵＥ１４０の近傍の環境状況の変化（侵入者検知、温度検知、火災検知等）を検出することを契機に、その変化に対応したコンテキスト情報（例えば、“通常”、“非常”等）を取得する。コンテキスト情報は、カメラ以外にも、マイク、測位センサ、光センサ等の様々なセンサを利用して取得され得る。そして、ＵＥ１４０は、特定のコンテキスト情報（例えば、“非常”）を取得したことを契機にして、現在使用しているサービスに割り当てられたスライスを切り換えるためのスライス切換依頼をＲＡＮ１１０を経由してＡＭＦ１００に送信する。このスライス切換依頼には、現在使用しているサービスに対応したサービスタイプ（使用サービス特定情報）と、取得した現在のＵＥ１４０の状況を示すコンテキスト情報（現在状況情報）とが含まれる。ここで、コンテキスト情報はＵＥ１４０のセンサを利用して自動的に取得され、それを契機にスライス切換依頼が自動的に送信されてもよいし、ＵＥ１４０のユーザの入力に応じてコンテキスト情報が取得され、ユーザの指示入力によってスライス切換依頼が送信されてもよい。
【００３６】
以下、ＡＭＦ１００の構成について詳細に説明する。なお、ＡＭＦ１００は、以下で説明する機能以外にも、後述の図６のシーケンス図を用いて説明する機能も有するものとする。
【００３７】
図３には、ＡＭＦ１００のハードウェア構成を示し、図４には、ＡＭＦ１００の機能構成を示す。図４に示すように、ＡＭＦ１００は、機能的な構成要素として、接続・モビリティ管理機能部１１、状況取得部１２、切換判断部１３、接続切換部１４、及び対応情報記憶部１５を含んで構成されている。
【００３８】
図４に示すブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００３９】
例えば、本発明の一実施の形態におけるＡＭＦ１００は、本実施形態のＡＭＦ１００の処理を行うコンピュータとして機能してもよい。図３には、本実施形態に係るＡＭＦ１００のハードウェア構成の一例を示している。ＡＭＦ１００は、物理的には、プロセッサ１００１、メモリ１００２、ストレージ１００３、通信装置１００４、入力装置１００５、出力装置１００６、バス１００７などを含むコンピュータ装置として構成されてもよい。
【００４０】
なお、本明細書における説明では、「装置」という文言は、回路、デバイス、ユニットなどに読み替えることができる。ＡＭＦ１００のハードウェア構成は、図に示した各装置を１つ又は複数含むように構成されてもよいし、一部の装置を含まずに構成されてもよい。
【００４１】
ＡＭＦ１００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００４２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、接続・モビリティ管理機能部１１、状況取得部１２、切換判断部１３、及び接続切換部１４などは、プロセッサ１００１で実現されてもよい。
【００４３】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、接続・モビリティ管理機能部１１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００４４】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る移動体通信の各種処理を実施するために実行可能なプログラム（プログラムコード）、ソフトウェアモジュールなどを保存することができる。
【００４５】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。例えば、対応情報記憶部１５などは、ストレージ１００３で実現されてもよい。
【００４６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、接続・モビリティ管理機能部１１、状況取得部１２、及び接続切換部１４などは、通信装置１００４で実現されてもよい。
【００４７】
入力装置１００５は、外部からの入力を受け付ける入力デバイスであり、出力装置１００６は、外部への出力を実施する出力デバイスである。入力装置１００５及び出力装置１００６は、両者が一体となったタッチパネルディスプレイで実現されてもよい。
【００４８】
また、プロセッサ１００１やメモリ１００２などの各装置は、情報を通信するためのバス１００７で接続される。バス１００７は、単一のバスで構成されてもよいし、装置間で異なるバスで構成されてもよい。
【００４９】
また、ＡＭＦ１００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００５０】
次に、ＡＭＦ１００の各機能部の機能について述べる。
【００５１】
接続・モビリティ管理機能部１１は、移動通信システムに在圏するＵＥ１４０の位置管理、及びＵＰＦ１３０とＵＥ１４０との間の制御データ又はユーザデータの通信経路の設定処理を行う部分である。
【００５２】
状況取得部１２は、ＵＥ１４０から、ＲＡＮ１１０を経由して、現在使用中のサービスに割り当てられたスライスを切り換えるためのスライス切換依頼を受信（取得）する。このとき、状況取得部１２は、スライス切換依頼に、ＵＳ１４０が現在使用中のサービスを特定するサービスタイプと、現在のＵＥ１４０の状況を示すコンテキスト情報を含んで受信する。
【００５３】
切換判断部１３は、状況取得部１２によってスライス切換依頼が受信された際に、スライス切換依頼に含まれるサービスタイプとコンテキスト情報とを基に、スライスの切り替えの必要性の有無を判断する。すなわち、切換判断部１３は、スライス切換依頼に含まれるサービスタイプ及びコンテキスト情報を基に、対応情報記憶部１５に記憶されているサービス管理に関する対応情報を参照することによって、切り替えの必要性の有無を判断する。
【００５４】
図５には、対応情報記憶部１５に記憶されている対応情報のデータ構成の一例を示す。この対応情報は、ＡＭＦ１００によって、スライス管理装置１０において記憶された対応情報の中から必要な情報が抽出されて予め記憶されているものである。このように、対応情報においては、サービスを特定するサービスタイプ（例えば、“ＡＡＡ”）に対して、そのサービスの割当先のスライスを特定するスライスＩＤ（例えば、“Ｓｌｉｃｅ１”）と、端末の状況を示すコンテキスト情報（例えば、“通常”）とが対応付けられて記憶されている。この対応情報は、端末の状況がコンテキスト情報の示す状況であるときに端末がサービスタイプが示すサービスを利用する際には、スライスＩＤの示すスライスを使用するように制御されるべきであることを示している。ここで、対応情報においては、同一のサービスタイプ（例えば“ＡＡＡ”）に対して、異なるスライスＩＤと異なるコンテキスト情報とを含む複数の組み合わせ（例えば、“Ｓｌｉｃｅ１”と“通常”、“Ｓｌｉｃｅ２”と“異常”）が対応付けられている。これによって、端末が異なる状況のときに同一のサービスを利用する際に、異なるスライスが割り当てられる。
【００５５】
詳細には、切換判断部１３は、スライス切換依頼に含まれるサービスタイプに関連付けられ、かつ、スライス切換依頼に含まれるコンテキスト情報を含む対応情報を、対応情報記憶部１５に記憶された複数の対応情報の中から特定し、その対応情報に含まれるスライスＩＤを抽出する。例えば、スライス切換依頼にサービスタイプ“ＡＡＡ”及びコンテキスト情報“非常”が含まれていた場合には、図５に示す複数の対応情報の中から、スライスＩＤ“Ｓｌｉｃｅ２”を抽出する。そして、切換判断部１３は、スライスＩＤの抽出が成功した場合には、スライスの切り替えの必要性有りと判断し、そのスライスＩＤの示すスライスを切換先とするスライス切換依頼を接続切換部１４に出力する。
【００５６】
接続切換部１４は、切換判断部１３からのスライス切換依頼を受けて、ＵＥ１４０〜ＵＰＦ１３０間の通信セッション（ベアラ）が設定されているスライスを切り換える。すなわち、接続切換部１４は、ＵＥ１４０が現在利用しているサービス用のベアラを、現在そのサービスに割り当てられているスライス上から、切換判断部１３によって抽出されたスライスＩＤによって特定されるスライス上に切り換える。具体的には、接続切換部１４は、スライス切換依頼を受けると、切換先のスライスを特定するスライスＩＤに対応するＳＭＦ１２０のアドレスをＤＮＳサーバ８０から取得し、そのアドレスのＳＭＦ１２０に対して新規ベアラの確立依頼を送信する。これによって、ＵＥ１４０〜ＵＰＦ１３０間にスライスＩＤによって特定されるスライス上のベアラが新規に確立される。さらに、接続切換部１４は、切換元のスライスが割り当てられているＳＭＦ１２０のアドレスをＤＮＳサーバ８０から取得し、切換元のスライス上に設定されているベアラの切断を依頼する既存ベアラ切断依頼を、該当のＳＭＦ１２０に向けて送信する。これによって、ＵＥ１４０〜ＵＰＦ１３０間における切換元のスライス上の既存のベアラが切断され、ベアラの切り替えが完了する。
【００５７】
次に、上述した移動通信システムのベアラの切換処理の手順について説明するとともに、本実施形態にかかるスライス割当方法について詳述する。図６は、移動通信システムによるベアラの切換処理の手順を示すシーケンス図であり、図７は、移動通信システムによるベアラの切換処理のイメージを示す概念図である。
【００５８】
まず、図６を参照して、ベアラの切換処理について説明する。最初に、ＵＥ１４０〜ＵＰＦ１３０間にあるサービス用のベアラが接続されている状態で、ＵＥ１４０においてコンテキスト情報が取得される（ステップＳ０１）。コンテキスト情報の取得を契機に、ＵＥ１４０からＡＭＦ１００に対して、スライス切換依頼が送信される（ステップＳ０２）。
【００５９】
次に、ＡＭＦ１００の状況取得部１２によってスライス切換依頼が受信されたこと（ステップＳ０２）を契機として、以下の切り替えの必要性の有無の判断処理およびベアラの切換処理が実行される。すなわち、ＡＭＦ１００の切換判断部１３によって、スライス切換依頼に含まれるサービスタイプ及びコンテキスト情報を基に、対応情報記憶部１５に記憶されている対応情報の中から、ＵＥ１４０が利用しているサービス及びＵＥ１４０の状況に対応する対応情報が特定されることにより、切り替えの必要性の有無が判断される（ステップＳ０３）。その結果、切り替えの必要性“有り”と判断された場合には、ＡＭＦ１００の接続切換部１４から、対応情報に含まれるスライスＩＤによって識別される切換先のスライスが割り当てられたＳＭＦ１２０及びＵＰＦ１３０（以下、単に「切換先のＳＭＦ又はＵＰＦ」と言う。）に対して、新規ベアラの確立依頼（Create  session  request）が送信される（ステップＳ０４）。これによって、切換先のＳＭＦ１２０及び切換先のＵＰＦ１３０においてベアラの接続処理が行われた後にＡＭＦ１００に対して新規ベアラの確立応答（Create  session  response）が返信される（ステップＳ０５）。その後、ＡＭＦ１００からＲＡＮ１１０に対してＵＥ１４０〜ＵＰＦ１３０間のベアラ変更依頼（Barer  modify  request）が送信され、ＲＡＮ１１０においてベアラ変更処理が実行された後にＡＭＦ１００に対して応答（Barer  modify  response）が返される（ステップＳ０６）。
【００６０】
さらに、ＡＭＦ１００の接続切換部１４から、切換元のスライスが割り当てられたＳＭＦ１２０及びＵＰＦ１３０（以下、単に「切換元のＳＭＦ又はＵＰＦ」と言う。）に対して、既存のベアラの切断依頼（Delete  session  request）が送信される（ステップＳ０７）。これによって、切換元のＳＭＦ１２０及び切換元のＵＰＦ１３０においてベアラの切断処理が行われた後にＡＭＦ１００に対して既存ベアラの切断応答（Delete  session  response）が返信される（ステップＳ０８）。
【００６１】
上記のようなＡＭＦ１００による切換制御の処理によって、ＵＥ１４０の利用しているサービス用のベアラが切換元のスライス上から切換先のスライス上に切り換えられる。つまり、図７に示すように、ＵＥ１４０から送信されたスライス切換依頼を契機にして、ＵＥ１４０が利用中のサービスに割り当てられるスライスが、直前まで割り当てられていたスライス“Ｓｌｉｃｅ１”から、そのスライス切換依頼に含まれるコンテキスト情報の示す状況に対応したスライス“Ｓｌｉｃｅ２”に切り換えられる。
【００６２】
次に、本実施形態の移動通信システムおよびスライス割当方法の作用効果について説明する。上述した移動通信システムによれば、ＵＥ１４０から使用中のサービスを特定する情報と現在の状況を示す情報とが取得されると、それらの情報を基に、現在使用しているサービスに割り当てられた複数のフライスの中から、現在の状況に対応したスライスが選択され、選択されたスライス上にＵＥ１４０〜ＵＰＦ１３０間のベアラが切り換えられる。これにより、ＵＥのユーザ毎にそのユーザの状況に応じてサービスに割り当てるスライスを動的に変えることができる。その結果、ＵＥのユーザに対して円滑にサービスを提供することができる。
【００６３】
また、上記実施形態では、特定した対応情報に含まれるスライスＩＤによって特定されるスライス上に、ＵＥ１４０〜ＵＰＦ１３０間のベアラが設定され、当該スライス以外のスライス上に設定されていたベアラが切断される。こうすることにより、ＵＥのユーザ毎に状況に応じて１つのスライスから別のスライスにサービスの割り当てを切り換えることができ、ＵＥのユーザ間で効率的にスライスを割り当てることができる。
【００６４】
さらに、上記実施形態では、ＵＥ１４０からスライス切換依頼を取得したことを契機として、対応情報の特定、及びＵＥ１４０〜ＵＰＦ１３０間のベアラの切り換えが実行される。こうすることにより、ＵＥのユーザの状況に応じて迅速にスライスの割り当てを変更することができる。
【００６５】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００６６】
例えば、上記実施形態においては、ＡＭＦ１００が、ＵＥ１４０からスライス切換依頼を受けて、スライスの切り換えの必要性の有無を判断し、その判断結果を基にベアラの切換制御を実行していたが、ＡＭＦ１００以外が、スライスの切り換えの必要性の有無の判断、あるいは、ベアラの切換制御を行ってもよい。以下では、ＡＭＦ１００とは別のノードであるＮＳＳＦ（NW  Slice  Selection  Function）１５０が、スライスの切り換えの必要性の有無の判断機能、及びベアラの切換制御機能を有する場合の構成について説明する。図８は、上述した実施形態の移動通信システムの変形例にかかるシステム構成を示す図であり、図９は、図８のＮＳＳＦ１５０の機能構成を示すブロック図である。
【００６７】
図８に示すＮＳＳＦ１５０は、上述した実施形態のＡＭＦ１００の有する機能部のうち、スライスの切り換えの必要性の有無の判断機能、及びベアラの切換制御機能を担うノードであり、図９に示すように、機能的な構成要素として、状況取得部２２、切換判断部２３、接続切換依頼部２４、及び対応情報記憶部２５を含んで構成されている。状況取得部２２、切換判断部２３、及び対応情報記憶部２５の機能は、上述したＡＭＦ１００の状況取得部１２、切換判断部１３、及び対応情報記憶部１５の機能と同様である。接続切換依頼部２４は、切換判断部２３からスライス切換依頼を受けて、そのスライス切換依頼をＡＭＦ１００に転送する。これに対して、ＡＭＦ１００は、上述した接続切換部１４と同様にして、新規ベアラの確立依頼、および既存ベアラの切断依頼のそれぞれを、該当するＳＭＦ１２０に送信する。
【００６８】
図９に示すブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００６９】
例えば、本変形例におけるＮＳＳＦ１５０は、本変形例のＮＳＳＦ１５０の処理を行うコンピュータとして機能してもよい。ＮＳＳＦ１５０の処理を行うコンピュータは、図３の構成と同様のハードウェア構成を採用することができる。
【００７０】
次に、上述した変形例における移動通信システムのベアラ切換処理の手順について説明するとともに、変形例にかかるスライス割当方法について詳述する。図１０は、本変形例にかかる移動通信システムによるベアラ切換処理の手順を示すシーケンス図である。
【００７１】
最初に、ＵＥ１４０〜ＵＰＦ１３０間にあるサービス用のベアラが接続されている状態で、ＵＥ１４０においてコンテキスト情報が取得される（ステップＳ１０１）。コンテキスト情報の取得を契機に、ＵＥ１４０からＡＭＦ１００を経由してＮＳＳＦ１５０に対して、スライス切換依頼が送信される（ステップＳ１０２）。
【００７２】
次に、ＮＳＳＦ１５０の状況取得部２２によってスライス切換依頼が受信されたこと（ステップＳ１０２）を契機として、以下の切り替えの必要性の有無の判断処理およびベアラの切換処理が実行される。すなわち、ＮＳＳＦ１５０の切換判断部２３によって、スライス切換依頼に含まれるサービスタイプ及びコンテキスト情報を基に、対応情報記憶部２５に記憶されている対応情報の中から、ＵＥ１４０が利用しているサービス及びＵＥ１４０の状況に対応する対応情報が特定されることにより、切り替えの必要性の有無が判断される（ステップＳ１０３）。その結果、切り替えの必要性“有り”と判断された場合には、ＮＳＳＦ１５０の接続切換依頼部２４からＡＭＦ１００に向けて、スライス切換依頼が送信される（ステップＳ１０４）。これに対して、ＡＭＦ１００から、切換先のＳＭＦ１２０及びＵＰＦ１３０に対して、新規ベアラの確立依頼（Create  session  request）が送信される（ステップＳ１０５）。これによって、切換先のＳＭＦ１２０及び切換先のＵＰＦ１３０においてベアラの接続処理が行われた後にＡＭＦ１００に対して新規ベアラの確立応答（Create  session  response）が返信される（ステップＳ１０６）。その後、ＡＭＦ１００からＲＡＮ１１０に対してＵＥ１４０〜ＵＰＦ１３０間のベアラ変更依頼（Barer  modify  request）が送信され、ＲＡＮ１１０においてベアラ変更処理が実行された後にＡＭＦ１００に対して応答（Barer  modify  response）が返される（ステップＳ１０７）。
【００７３】
さらに、ＡＭＦ１００から、切換元のＳＭＦ１２０及びＵＰＦ１３０に対して、既存のベアラの切断依頼（Delete  session  request）が送信される（ステップＳ１０８）。これによって、切換元のＳＭＦ１２０及び切換元のＵＰＦ１３０においてベアラの切断処理が行われた後にＡＭＦ１００に対して既存ベアラの切断応答（Delete  session  response）が返信される（ステップＳ１０９）。
【００７４】
このようなＮＳＳＦ１５０による切換制御の処理によって、ＵＥ１４０の利用しているサービス用のベアラが切換元のスライス上から切換先のスライス上に切り換えられる。上述した変形例にかかる移動通信システムによっても、ＵＥのユーザ毎にそのユーザの状況に応じてサービスに割り当てるスライスを動的に変えることができる。その結果、ＵＥのユーザに対して円滑にサービスを提供することができる。
【００７５】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC ConnectionReconfiguration）メッセージなどであってもよい。
【００７６】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７８】
情報等は、上位レイヤ(または下位レイヤ)から下位レイヤ(または上位レイヤ)へ出力され得る。複数のネットワークノードを介して入出力されてもよい。
【００７９】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８０】
判定は、１ビットで表される値（０か１か）によって行われてもよいし、真偽値（Boolean：trueまたはfalse）によって行われてもよいし、数値の比較（例えば、所定の値との比較）によって行われてもよい。
【００８１】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８３】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８４】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８５】
なお、本明細書で説明した用語及び／又は本明細書の理解に必要な用語については、同一の又は類似する意味を有する用語と置き換えてもよい。
【００８６】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００８７】
上述したパラメータに使用する名称はいかなる点においても限定的なものではない。
【００８８】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００８９】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００９０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９１】
「含む（include）」、「含んでいる（comprising）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００９２】
本明細書において、文脈または技術的に明らかに1つのみしか存在しない装置である場合以外は、複数の装置をも含むものとする。
【００９３】
本開示の全体において、文脈から明らかに単数を示したものではなければ、複数のものを含むものとする。
【符号の説明】
【００９４】
１００…ＡＭＦ、１１…接続・モビリティ管理機能部、１２…状況取得部、１３…切換判断部、１４…接続切換部、１５…対応情報記憶部、１５０…ＮＳＳＦ、２２…状況取得部、２３…切換判断部、２４…接続切換依頼部（接続切換部）、２５…対応情報記憶部、ＳＬ１〜ＳＬ３…スライス、１４０…ＵＥ（端末）。
【図１】
2018157506.tif 000003
【図２】
2018157506.tif 000004
【図３】
2018157506.tif 000005
【図４】
2018157506.tif 000006
【図５】
2018157506.tif 000007
【図６】
2018157506.tif 000008
【図７】
2018157506.tif 000009
【図８】
2018157506.tif 000010
【図９】
2018157506.tif 000011
【図１０】
2018157506.tif 000012